(57)【要約】【課題】釣銭機を大型化することなく、貨幣の正券および損券の情報に基づいて該貨幣の効率的な運用を行なうことができる商品データ処理装置、貨幣取引システムおよび貨幣取引方法を提供する。【解決手段】本発明に係る実施形態に従った取引データ処理装置は、商品の代金を精算する精算処理および銀行口座に関する口座取引における貨幣の入出金処理を行う貨幣精算装置と通信可能に接続された通信部と、精算処理を行なう場合と口座取引を行なう場合とで、貨幣精算装置の貨幣の在高として異なる在高を表示する表示部とを備えている。【選択図】図７
2013134569.tif 000002
【特許請求の範囲】
【請求項１】
取引データ処理装置であって、
商品の代金を精算する精算処理および銀行口座に関する口座取引における貨幣の入出金処理を行う貨幣精算装置と通信可能に接続された通信部と、
前記精算処理を行なう場合と前記口座取引を行なう場合とで、前記貨幣精算装置の貨幣の在高として異なる在高を表示する表示部とを備えた取引データ処理装置。
【請求項２】
前記表示部は、前記精算処理を行なう場合は、前記貨幣精算装置に収納された正券および損券の在高の合計を示す総在高情報を表示し、前記口座取引を行なう場合は、前記貨幣精算装置に収納された正券の在高を示す正券在高情報を表示することを特徴とする請求項１に記載の取引データ処理装置。
【請求項３】
前記表示部は、前記総在高情報または前記正券在高情報が所定の設定値以下になった場合に各在高情報を表示することを特徴とする請求項２に記載の取引データ処理装置。
【請求項４】
前記表示部は、前記総在高情報または正券在高情報が１取引における出金可能上限値以上の場合は、当該出金可能上限値を表示することを特徴とする請求項３記載の取引データ処理装置。
【請求項５】
前記表示部は、前記口座取引を行うときに前記正券在高情報の出金金種が不足した場合に、当該金種より低額の金種での代替出金を選択可能にガイダンス表示することを特徴とする請求項２から請求項４のいずれかに記載の取引データ処理装置。
【請求項６】
商品の代金を精算する精算処理および銀行口座に関する口座取引を行う取引データ処理装置と、前記精算処理および前記口座取引における貨幣の入出金処理を行う貨幣精算装置と、を含む貨幣取引システムであって、
前記貨幣精算装置は、
貨幣を投入する入金部と、貨幣を投出する出金部と、貨幣を収納する収納庫と、前記入金部から前記収納庫へ貨幣を搬送し、あるいは、前記収納庫から前記出金部へ貨幣を搬送する搬送部と、前記搬送部によって搬送される貨幣の金種、および、正券または損券を識別する識別部と、前記取引データ処理装置と通信可能に接続された通信部と、を備え、
前記取引データ処理装置は、
前記貨幣精算装置と通信可能に接続された通信部と、
前記精算処理を行なう場合と前記口座取引を行なう場合とで、前記貨幣精算装置の貨幣の在高として異なる在高を表示する表示部とを備えたことを特徴とする貨幣取引システム。
【請求項７】
前記表示部は、前記精算処理を行なう場合は、前記貨幣精算装置に収納された正券および損券の在高の合計を示す総在高情報を表示し、前記口座取引を行なう場合は、前記貨幣精算装置に収納された正券の在高を示す正券在高情報を表示することを特徴とする請求項６に記載の貨幣取引システム。
【請求項８】
前記貨幣精算装置は、前記貨幣精算装置に収納されている正券および損券の順番を格納している記憶部をさらに備え、
前記貨幣精算装置は、前記口座取引を行なう場合は、前記記憶部に格納されている正券の順番に基づいて前記収納庫から正券を出金することを特徴とする請求項７に記載の貨幣取引システム。
【請求項９】
前記表示部は、前記総在高情報または正券在高情報が１取引における出金可能上限値以上の場合は、当該出金可能上限値を表示することを特徴とする請求項７または請求項８に記載の貨幣取引システム。
【請求項１０】
前記貨幣精算装置は、貨幣を正券と損券とを分けて金種ごとに収納し、
前記表示部は、前記精算処理を行なう場合は、正券を収納している収納庫および損券を収納している収納庫の在高の合計を表示し、前記口座取引を行なう場合は、正券を収納している前記収納庫の在高を表示することを特徴とする請求項６から請求項９のいずれかに記載の貨幣取引システム。
【請求項１１】
前記貨幣精算装置は、貨幣を正券および損券を混合状態で金種ごとに収納していることを特徴とする請求項８に記載の貨幣取引システム。
【請求項１２】
前記貨幣精算装置は、紙幣を一枚ずつ複数のテープ間に挟み込んだ状態で該テープを紙幣とともに巻き取るテープ式収納庫であることを特徴とする請求項１１に記載の貨幣取引システム。
【請求項１３】
前記表示部は、前記口座取引を行うときに前記正券在高情報の出金金種が不足した場合に、当該金種より低額の金種での代替出金を選択可能にガイダンス表示することを特徴とする請求項６から請求項１２のずれかに記載の貨幣取引システム。
【請求項１４】
商品の代金を精算する精算処理および銀行口座に関する口座取引を行なう取引データ処理と、前記精算処理および前記口座取引における貨幣の入出金処理を行う貨幣精算装置とを含む貨幣取引システムを用いた貨幣取引方法であって、
前記取引データ処理装置は、前記精算処理を行なう場合と前記口座取引を行なう場合とで異なる在高を表示することを具備する貨幣取引方法。
【請求項１５】
前記貨幣精算装置は、入出金される貨幣の金種、および、正券または損券を識別し、
前記表示部は、前記精算処理を行なう場合は、前記貨幣精算装置に収納された正券および損券の在高の合計を示す総在高情報を表示し、前記口座取引を行なう場合は、前記貨幣精算装置に収納された正券の在高を示す正券在高情報を表示することを特徴とする請求項１４に記載の貨幣取引方法。
【請求項１６】
前記表示部は、前記総在高情報または正券在高情報が１取引における出金可能上限値以上の場合は、当該出金可能上限値を表示することを特徴とする請求項１４または請求項１５に記載の貨幣取引方法。
【請求項１７】
前記表示部は、前記口座取引を行うときに前記正券在高情報の出金金種が不足した場合に、当該金種より低額の金種での代替出金を選択可能にガイダンス表示することをさらに具備すること特徴とする請求項１４から請求項１６のずれかに記載の貨幣取引方法。
【発明の詳細な説明】
【技術分野】
【０００１】
本発明は、取引データ処理装置、貨幣取引システムおよび貨幣取引方法に係わり、例えば、商品の代金を精算する精算処理、および、銀行口座を用いて取引を行なう取引データ処理装置、貨幣取引システムおよび貨幣取引方法に関する。
【背景技術】
【０００２】
金融機関等の現金取扱業者（Cash handlers）は、貨幣の真偽および正損を確認し、再流通させた貨幣の真偽および正損の情報を中央銀行へ報告する義務が生じる場合がある。例えば、“DECISION OF THE EUROPEAN CENTRAL BANK of 16 September 2010  on the authenticity and fitness checking and recirculation of euro banknotes  (ECB/2010/14) (2010/597/EU)”（ユーロ紙幣の真偽・正損確認および再流通に関する２０１０年９月１６日のＥＣＢの決議（以下、ＥＣＢ決議とも言う））では、ユーロ紙幣の真偽および正損確認と再流通とに関する規則および手順を規定している。
【０００３】
近年、商品を売買する店舗において使用されるＰＯＳ（Point Of Sale）レジスタや釣銭機は、単に、商品の代金を入金し、釣銭を出金する現金精算処理だけでなく、顧客の銀行口座から直接代金を引き落とし、あるいは、銀行口座から貨幣を引き出すような口座取引が可能な場合がある。このようにＰＯＳレジスタおよび釣銭機において口座取引を行う場合、店舗は、金融機関と同様に上記ＥＣＢ決議に従って正券のみを再流通させ、損券を出金することが禁止される場合がある。
【先行技術文献】
【特許文献】
【０００４】
【特許文献１】特開２０１１−５４０３７号公報
【発明の開示】
【発明が解決しようとする課題】
【０００５】
しかしながら、従来のＰＯＳレジスタおよび釣銭機は、貨幣の正損を識別する機能を有するものの、精算処理と口座取引とにおいて正券と損券との取扱いを相違させることは困難であった。例えば、正券および損券の両方を用いて出金可能な精算処理と正券のみでしか出金できない口座取引との両方において正券のみで出金する場合、損券をリサイクルせずに、常に正券のみをリサイクル貨幣として出金する。この場合、規則上、正券および損券の両方を用いて出金可能な精算処理であっても、貨幣精算装置は、損券を使用せず、正券のみで出金することになる。このため、出金可能な正券量が減少し、貨幣の効率的な運用ができない。
【０００６】
一方、精算処理においては正券および損券の両方を出金可能とし、口座取引においては正券のみで出金するためには、正券および損券を個別の収納庫（リサイクルスタッカ）に収納する必要がある。この場合、リサイクルスタッカは各金種に対して正券および損券を個別に収納する必要があるため、リサイクルスタッカの数が増加し、釣銭機が大型化してしまう。
【０００７】
特許文献１は、ＰＯＳ端末の画面に釣銭機の各金種の在高を表示する装置を開示している。しかし、特許文献１の装置は、上記課題を解決できるものではない。
【０００８】
そこで、本発明は、上述の問題に鑑みてなされたものであり、釣銭機を大型化することなく、貨幣の正券および損券の情報に基づいて該貨幣の効率的な運用を行なうことができる商品データ処理装置、貨幣取引システムおよび貨幣取引方法を提供することを目的とする。
【課題を解決するための手段】
【０００９】
本発明による実施形態に従った取引データ処理装置は、商品の代金を精算する精算処理および銀行口座に関する口座取引における貨幣の入出金処理を行う貨幣精算装置と通信可能に接続された通信部と、  前記精算処理を行なう場合と前記口座取引を行なう場合とで、前記貨幣精算装置の貨幣の在高として異なる在高を表示する表示部とを備えている。
【００１０】
前記表示部は、前記精算処理を行なう場合は、前記貨幣精算装置に収納された正券および損券の在高の合計を示す総在高情報を表示し、前記口座取引を行なう場合は、前記貨幣精算装置に収納された正券の在高を示す正券在高情報を表示するように構成してもよい。
【００１１】
前記表示部は、前記総在高情報または前記正券在高情報が所定の設定値以下になった場合に各在高情報を表示するように構成してもよい。
【００１２】
前記表示部は、前記総在高情報または正券在高情報が１取引における出金可能上限値以上の場合は、当該出金可能上限値を表示するように構成してもよい。
【００１３】
前記表示部は、前記口座取引を行うときに前記正券在高情報の出金金種が不足した場合に、当該金種より低額の金種での代替出金を選択可能にガイダンス表示するように構成してもよい。
【００１４】
本発明による実施形態に従った貨幣取引システムは、商品の代金を精算する精算処理および銀行口座に関する口座取引を行う取引データ処理装置と、前記精算処理および前記口座取引における貨幣の入出金処理を行う貨幣精算装置と、を含む貨幣取引システムであって、
前記貨幣精算装置は、貨幣を投入する入金部と、貨幣を投出する出金部と、貨幣を収納する収納庫と、前記入金部から前記収納庫へ貨幣を搬送し、あるいは、前記収納庫から前記出金部へ貨幣を搬送する搬送部と、前記搬送部によって搬送される貨幣の金種、および、正券または損券を識別する識別部と、前記取引データ処理装置と通信可能に接続された通信部と、を備え、
前記取引データ処理装置は、前記貨幣精算装置と通信可能に接続された通信部と、前記精算処理を行なう場合と前記口座取引を行なう場合とで、前記貨幣精算装置の貨幣の在高として異なる在高を表示する表示部とを備えている。
【００１５】
前記表示部は、前記精算処理を行なう場合は、前記貨幣精算装置に収納された正券および損券の在高の合計を示す総在高情報を表示し、前記口座取引を行なう場合は、前記貨幣精算装置に収納された正券の在高を示す正券在高情報を表示するように構成してもよい。
【００１６】
前記貨幣精算装置は、前記貨幣精算装置に収納されている正券および損券の順番を格納している記憶部をさらに備え、前記貨幣精算装置は、前記口座取引を行なう場合は、前記記憶部に格納されている正券の順番に基づいて前記収納庫から正券を出金するように構成してもよい。
【００１７】
前記表示部は、前記総在高情報または正券在高情報が１取引における出金可能上限値以上の場合は、当該出金可能上限値を表示するように構成してもよい。
【００１８】
前記貨幣精算装置は、貨幣を正券と損券とを分けて金種ごとに収納し、前記表示部は、前記精算処理を行なう場合は、正券を収納している収納庫および損券を収納している収納庫の在高の合計を表示し、前記口座取引を行なう場合は、正券を収納している前記収納庫の在高を表示するように構成してもよい。
【００１９】
前記貨幣精算装置は、貨幣を正券および損券を混合状態で金種ごとに収納するように構成してもよい。
【００２０】
前記貨幣精算装置は、紙幣を一枚ずつ複数のテープ間に挟み込んだ状態で該テープを紙幣とともに巻き取るテープ式収納庫で構成してもよい。
【００２１】
前記表示部は、前記口座取引を行うときに前記正券在高情報の出金金種が不足した場合に、当該金種より低額の金種での代替出金を選択可能にガイダンス表示するように構成してもよい。
【００２２】
本発明による実施形態に従った貨幣取引方法は、商品の代金を精算する精算処理および銀行口座に関する口座取引を行なう取引データ処理と、前記精算処理および前記口座取引における貨幣の入出金処理を行う貨幣精算装置とを含む貨幣取引システムを用いた貨幣取引方法であって、
前記取引データ処理装置は、前記精算処理を行なう場合と前記口座取引を行なう場合とで異なる在高を表示する。
【００２３】
前記貨幣精算装置は、入出金される貨幣の金種、および、正券または損券を識別し、前記表示部は、前記精算処理を行なう場合は、前記貨幣精算装置に収納された正券および損券の在高の合計を示す総在高情報を表示し、前記口座取引を行なう場合は、前記貨幣精算装置に収納された正券の在高を示す正券在高情報を表示してもよい。
【００２４】
前記表示部は、前記総在高情報または正券在高情報が１取引における出金可能上限値以上の場合は、当該出金可能上限値を表示してもよい。
【００２５】
前記表示部は、前記口座取引を行うときに前記正券在高情報の出金金種が不足した場合に、当該金種より低額の金種での代替出金を選択可能にガイダンス表示してもよい。
【発明の効果】
【００２６】
本発明による貨幣精算装置、貨幣取引システムおよび貨幣取引方法は、釣銭機を大型化することなく、貨幣の正券および損券の情報に基づいて該貨幣の効率的な運用を行なうことができる。
【図面の簡単な説明】
【００２７】
【図１】本発明に係る第１の実施形態に従った貨幣取引システム２および銀行側システム３の構成を示すブロック図。
【図２】各貨幣精算装置１１の一例を示す外観を示す図。
【図３】貨幣精算装置１１の構成例を示すブロック図。
【図４】本実施形態に従ったＰＯＳレジスタ１５の外観を示す斜視図。
【図５】ＰＯＳレジスタ１５の構成を示すブロック図。
【図６】本実施形態による貨幣取引システム２の動作を示すフロー図。
【図７】精算処理における表示部３４の画面を示す図。
【図８】本実施形態による貨幣取引システム２の動作を示すフロー図。
【図９】口座取引における表示部３４の画面を示す図。
【図１０】口座取引において正券が不足している場合にＰＯＳレジスタ１５の表示部３４に表示される画面の例。
【図１１】在高表示領域Ｒ４における在高の他の表示例。
【図１２】本発明に係る第２の実施形態に従った貨幣取引システム２の口座取引の動作を示すフロー図。
【図１３】本発明に係る第３の実施形態に従った口座取引においてＰＯＳレジスタ１５の表示部３４に表示される画面を示す図。
【発明を実施するための最良の形態】
【００２８】
以下、図面を参照して本発明による実施形態を説明する。本実施形態は、本発明を限定するものではない。
【００２９】
（第１の実施形態）
図１は、本発明に係る第１の実施形態に従った貨幣取引システム２および銀行側システム３の構成を示すブロック図である。貨幣取引システム２は、商品の代金を精算するときに用いられる貨幣および商品のデータを処理および管理するシステムである。銀行側システム３は、顧客の預金口座を管理し、口座への入金または口座からの出金を処理するシステムである。
【００３０】
貨幣取引システム２は、店舗内のチェックアウトエリアに設けられており、店員が顧客との間でやりとりした貨幣を入出金するチェックアウトカウンター１０と、チェックアウトカウンター１０の貨幣および商品を管理するバックオフィス２０とから構成されている。
【００３１】
チェックアウトカウンター１０には、貨幣精算装置１１とＰＯＳレジスタ１５とが３セット設けられている。貨幣精算装置１１は、貨幣を入金および出金することにより顧客との間で商品購入のための精算処理を行うことができ、かつ、ＰＯＳレジスタ１５の指示に基づいて銀行口座の預金を用いた口座取引を行なうことができる。ＰＯＳレジスタ１５は、商品の販売データおよび商品を購入した顧客のデータを処理および管理を行なうと共に、銀行口座の預金を用いた口座取引の操作部として使用される。図１では、貨幣精算装置１１およびＰＯＳレジスタ１５のセットが３つ設けられているが、これらの数は限定しない。
【００３２】
貨幣精算装置１１およびＰＯＳレジスタ１５は、店員または顧客自らによって操作され、店員と顧客との間の精算処理および口座取引に用いられる。例えば、貨幣精算装置１１は、顧客が支払った代金を入金し、あるいは、顧客へ支払う貨幣を出金する。ＰＯＳレジスタ１５は、商品の販売データ・口座取引データおよび購入者のデータを処理し、これらのデータを格納する。
【００３３】
貨幣精算装置１１は、例えば、店員によって操作されるＰＯＳレジスタ１５または顧客によって操作されるセルフチェックアウト用レジスタ（図示せず）と通信可能に接続されている。貨幣精算装置１１は、ＰＯＳレジスタ（またはセルフチェックアウト用レジスタ）１５と一体に構成されていてもよい。
【００３４】
バックオフィス２０には、貨幣処理装置２１と、貨幣管理装置２５と、ＰＯＳ管理装置２６と、プリンタ２７とが設けられている。チェックアウトカウンター１０とバックオフィス２０とは、ＬＡＮ（Local Area Network）等を介して通信可能に接続されている。貨幣処理装置２１は、貨幣精算装置１１と通信可能に接続されており、例えば、貨幣精算装置１１へ装填するための釣銭準備金を出金し、あるいは、貨幣精算装置１１から回収した売上金を入金する。貨幣管理装置２５は、貨幣精算装置１１および貨幣処理装置２１と通信可能に接続されており、貨幣精算装置１１および貨幣処理装置２１に収納されている貨幣を管理する。例えば、貨幣管理装置２５は、貨幣精算装置１１のそれぞれにおいて精算処理された貨幣、並びに、貨幣精算装置１１と貨幣処理装置２１との間で授受された貨幣を管理する。ＰＯＳ管理装置２６は、ＰＯＳレジスタ１５と通信可能に接続されており、商品の流れを管理する。プリンタ２７は、貨幣精算装置１１、ＰＯＳレジスタ１５、貨幣処理装置２１、貨幣管理装置２５、ＰＯＳ管理装置２６から受け取った各種データを印字することができるように構成されている。
【００３５】
貨幣取引システム２は、インターネットや電話回線等を介して銀行側システム３に通信可能に接続されている。これにより、貨幣取引システム２は、顧客の要求に応じて、その顧客の銀行口座の預金から商品の代金を引き落とし、あるいは、銀行口座の預金から貨幣を引き出すことができる。
【００３６】
［貨幣精算装置１１の構成］
各貨幣精算装置１１は、紙幣を入金および出金することにより精算処理を行う紙幣処理装置１２と、硬貨を入金および出金することにより精算処理を行う硬貨処理装置１３と、を含む。
【００３７】
紙幣処理装置１２の構成要素と硬貨処理装置１３の構成要素とを区別するために、図２では、紙幣処理装置１２の構成要素の参照番号に“ａ”を付し、硬貨処理装置１３の構成要素の参照番号に“ｂ”を付す。尚、硬貨処理装置１３および紙幣処理装置１２は、取り扱う対象が硬貨と紙幣とでそれぞれ異なるので具体的構成については相違するものの、図３に示す基本的なブロック構成については同様でよい。
【００３８】
図２は、各貨幣精算装置１１の一例を示す外観を示す図である。貨幣精算装置１１は、紙幣処理装置１２および硬貨処理装置１３を備える。紙幣処理装置１２は、筐体１００ａと、入金部１１０ａと、出金部１２０ａとを備えている。入金部１１０ａは、顧客から受け取った紙幣を投入するために設けられている。出金部１２０ａは、釣銭紙幣を投出するために設けられている。
【００３９】
硬貨処理装置１３は、筐体１００ｂと、入金部１１０ｂと、出金部１２０ｂとを備えている。入金部１１０ｂは、顧客から受け取った硬貨を投入するために設けられている。出金部１２０ｂは、釣銭硬貨を投出するために設けられている。
【００４０】
図３は、貨幣精算装置１１の構成例を示すブロック図である。貨幣精算装置１１は、入金部１１０および出金部１２０のほか、搬送部１３０と、識別部１４０と、収納部１５０と、メモリ１７０と、出力部としての通信部１８０と、制御部１９０とをさらに備えている。
【００４１】
搬送部１３０は、入金部１１０に投入された貨幣を収納部１５０へ搬送し、あるいは、出金部１２０から投出する貨幣を収納部１５０から搬送するように構成されている。
【００４２】
識別部１４０は、搬送部１３０によって搬送されている貨幣の金種、真偽、正損、新旧、数量等を検知するように構成されている。例えば、識別部１４０は、イメージセンサまたは磁気センサ等のセンサを備えている。
【００４３】
収納部１５０は、識別部１４０において識別された貨幣を金種ごとに収納することができるように構成されている。収納部１５０は、紙幣を収納する場合、各紙幣を金種ごとに積み重ねて収納するスタック式収納部でもよく、あるいは、各紙幣を金種ごとに複数のテープ間に挟み込んだ状態で該テープを紙幣とともに巻き取る複数のテープリール式収納部であってもよい。
【００４４】
ここで、収納部１５０は、紙幣を金種ごとに正券と損券とを区別してリサイクル可能に収納する。例えば、収納部１５０は、金種ごとに正券と損券とを個別の収納庫に収納してもよい。あるいは、収納部１５０は、正券と損券とを混合状態で収納する場合、メモリ１７０が正券および損券の収納順を記憶する。スタック式収納部に正券と損券とを混合状態で収納する場合、メモリ１７０は、紙幣の正券と損券とをスタック順に従って記憶する。テープ式収納部に正券と損券とを混合状態で収納する場合、メモリ１７０は、紙幣の正券と損券とを巻取り順に従って記憶する。これにより、収納部１５０は、紙幣を金種ごとに正券と損券とを区別して収納することができる。
【００４５】
正券は、汚れ、染み、落書き、色落ち、裂け、切断、穴、しわ等が少なく良好な状態の紙幣である。損券は、汚れ、染み、落書き、色落ち、裂け、切断、穴、しわ等の何れか少なくとも１つあり良好な状態とは言えない紙幣である。正損の区別は、上記ＥＣＢ規則にも定義されている。正損の区別は、識別部１４０によって機械的に実行され、あるいは、熟練スタッフによって判断される。
【００４６】
メモリ１７０は、貨幣精算装置１１を制御する各種プログラムおよびデータを格納するＲＯＭ（Read Only Memory）またはＨＤＤ(Hard Disk Drive)、および、プログラムのロード領域やプログラム実行時における作業領域となるＲＡＭ(Random Access Memory)等を含む。メモリ１７０は、収納部１５０に収納されている貨幣の金種ごとの収納量（在高）も記憶している。また、メモリ１７０は、入出金され、識別部１４０で識別された貨幣の数量を金種ごとに記憶する。
【００４７】
通信部１８０は、貨幣取引システム２を構成する他の装置（貨幣処理装置２１、貨幣管理装置２５、ＰＯＳ管理装置２６、プリンタ２７）と通信可能に接続されている。例えば、通信部１８０は、収納部１５０に収納されている在高データ、入出金に用いた貨幣のデータを、ＰＯＳレジスタ１５、貨幣処理装置２１、貨幣管理装置２５およびプリンタ２７へ送信することができる。
【００４８】
制御部１９０は、メモリ１７０内のプログラムを実行して貨幣精算装置１１の全体を制御するように構成された演算処理装置（ＣＰＵ）である。
【００４９】
［ＰＯＳレジスタ１５の構成］
図４は、本実施形態に従ったＰＯＳレジスタ１５の外観を示す斜視図である。商品データ処理装置としてのＰＯＳレジスタ１５は、キーボード３２、モードキー３３、操作者用表示部３４、客用表示部３５、コードスキャナ３６、プリンタ３７、カードリーダ３８等を備えている。操作者用表示部３４には、入力装置としてのタッチパネル４３が積層して取り付けられている。
【００５０】
図５は、ＰＯＳレジスタ１５の構成を示すブロック図である。ＰＯＳレジスタ１５は、制御部４４と、メモリ４５と、通信部４６とをさらに備えている。
【００５１】
メモリ４５は、ＰＯＳレジスタ１５を制御する各種プログラムおよびデータを格納するＲＯＭまたはＨＤＤ、および、プログラムのロード領域やプログラム実行時における作業領域となるＲＡＭ等を含む。メモリ４５は、各種プログラムの他に、商品ファイル、販売データ、顧客データ等を格納している。商品ファイルは、商品コードに対応付けて商品名や単価などを記憶するファイルである。販売データは、販売された商品の商品名、個数、価格等のデータである。顧客データは、商品を購入した顧客の年齢、性別等のデータである。
【００５２】
通信部４６は、貨幣取引システム２を構成する他の装置（貨幣精算装置１１、ＰＯＳ管理装置２６、プリンタ２７、銀行側システム３）と通信可能に接続されている。
【００５３】
制御部４４は、メモリ４５内のプログラムを実行してＰＯＳレジスタ１５の全体を制御するように構成された演算処理装置（ＣＰＵ）である。例えば、制御部４４は、通信部４６を制御することによって、商品ファイル、販売データ、顧客データを貨幣精算装置１１、ＰＯＳ管理装置２６およびプリンタ２７へ送信することができる。
【００５４】
キーボード３２は、操作されたキーに応じた信号を制御部４４に入力するように構成されている。モードキー３３は、ＰＯＳレジスタ１５の動作モードを登録モード、設定モード、精算処理モード、口座取引モード、点検モード等の各業務モードに設定するように構成されている。操作者用表示部３４及び客用表示部３５は、メモリ４５に格納されたデータ、あるいは、キーボード３２またはモードキー３３、タッチパネル４３に入力されたデータを表示する。コードスキャナ３６は、商品に付されたバーコードなどの商品コードを光学的に読み取るように構成されている。プリンタ３７は、メモリ４５に格納されたデータ、あるいは、キーボード３２またはモードキー３３、タッチパネル４３に入力されたデータをレシートに印字するように構成されている。カードリーダ３８は、銀行の口座取引を行なう時にキャッシュカードを読み取るようになっている。
【００５５】
操作者用表示部３４は、レシートに印字されるジャーナルの内容、テンキー、モードキー、貨幣精算装置１１内の貨幣の在高等を表示するように構成されている。店員は、キーボード３２やモードキー３３において数値やモードを入力してもよいが、操作者用表示部３４に積層されたタッチパネル４３を操作して数値またはモードを入力してもよい。客用表示部３５は、操作者用表示部３４に表示される画面のうちジャーナルの内容を顧客に対して表示するように構成されている。
【００５６】
図６および図８は、本実施形態による貨幣取引システム２の動作を示すフロー図である。本実施形態による貨幣取引システム２は、商品の代金を貨幣で精算する精算処理、および、商品の代金を銀行口座の預金を用いて精算しあるいは銀行口座の預金から貨幣を引き出す口座取引を行なうことができる。銀行口座の預金から貨幣を引き出す口座取引は、銀行等のＡＴＭ（automated teller machine）を用いた貨幣の引き出しと同様の取引（ＡＴＭ出金）である。勿論、貨幣取引システム２は、クレジットカードを用いたクレジット払いも可能であるが、貨幣を用いないクレジット払いについては本実施形態と直接関係ないので、その説明を省略する。
【００５７】
［精算処理：図６］
顧客が商品を購入する際に、ＰＯＳレジスタ１５は、商品の売上登録処理を行う。売上登録処理では、例えば、コードスキャナ３６が商品に付された商品コードを読み取る（Ｓ１０）と、制御部４４は、商品コードに基づいて商品ファイルを検索し、該当する商品コードに対応する商品名や単価等の商品情報を読み出す。そして、制御部４４は、商品コードおよび商品情報を互いに関連付けてメモリ４５に登録する（Ｓ２０）。顧客が購入する全ての商品について商品の販売登録が完了すると、店員が精算処理モードのキーおよび小計キーを押す（Ｓ３０）。
【００５８】
尚、ＰＯＳレジスタ１５は、口座取引のモードキーを押下しない限り、精算処理を行なうように設定されていてもよい。この場合、精算処理を行なうときに、操作者は、モードキー３３またはタッチパネル４３のモードキーを操作する必要がない。また、ステップＳ３０において、店員は、小計キーを押すだけでよい。
【００５９】
店員が精算処理モードのキーおよび小計キーを押すと、制御部４４は、商品の売上金額を算出して、その売上金額をメモリ４５に格納する（Ｓ４０）。それとともに、通信部４６は、貨幣精算装置１１へ総在高要求コマンドを送信する（Ｓ５０）。
【００６０】
貨幣精算装置１１は、総在高要求コマンドを受信すると、収納部１５０に収納されている各金種の総在高情報をＰＯＳレジスタ１５へ送信する（Ｓ６０）。総在高情報は、貨幣精算装置１１に収納されたリサイクル可能な正券および損券の在高の合計を示す情報である。
【００６１】
貨幣精算装置１１が、貨幣を正券と損券とを分けて金種ごとに収納している場合、総在高情報は、正券を収納している収納庫および損券を収納している収納庫の各在高、並びに、それらの在高の合計である。
【００６２】
貨幣精算装置１１が、貨幣を正券および損券を混合状態で金種ごとに収納している場合、総在高情報は、貨幣精算装置１１の収納庫に収納されている各金種の在高である。この場合、メモリ１７０が正損の順番を記憶している。従って、正券および損券の各在高も総在高情報に含めることができる。
【００６３】
このように、総在高情報は、各金種の総在高の他、各金種の正券の在高情報および損券の在高情報をそれぞれ区別した状態で含むことができる。
【００６４】
精算処理では、貨幣精算装置１１は、正券だけでなく損券も出金することが許されている。従って、ＰＯＳレジスタ１５は、貨幣精算装置１１に収納されている各金種の総在高情報を受信すると、各金種の総在高情報を操作者用表示部３４に表示する（Ｓ７０）。
【００６５】
図７は、精算処理における操作者用表示部３４（以下、単に表示部３４ともいう）の画面を示す図である。ジャーナル表示領域Ｒ１は、顧客が購入した商品の商品名、個数、顧客から受け取った貨幣の金額、顧客に支払うべき釣銭の金額、日時等の情報を表示する。ジャーナル表示領域Ｒ１に表示される内容は、客用表示部３５にも表示され、かつ、レシートにも印字される。テンキー表示領域Ｒ２は、テンキー等を表示する。モードキー表示領域Ｒ３は、精算処理モード、口座取引モード等のモードキーを表示する。さらに、在高表示領域Ｒ４は、貨幣精算装置１１に収納された貨幣の在高を金種ごとに表示している。精算処理において、表示部３４は、各金種の総在高情報を在高表示領域Ｒ４に表示する。さらに、在高表示領域Ｒ４には、出金可能な貨幣の総額（出金可能金額）が表示されている。
【００６６】
店員は、在高表示領域Ｒ４を確認することによって貨幣精算装置１１内の各金種の在高が充分であるか否かを判断することができる。貨幣精算装置１１内の或る金種の在高が不足している場合には、店員は、その金種の貨幣を補充したり、あるいは、他の金種での代替出金を選択する。代替出金に関しては後述する。
【００６７】
次に、顧客から預かった貨幣を貨幣精算装置１１の入金部１１０に投入する（Ｓ８２）。貨幣精算装置１１において投入された貨幣は、搬送部１３０によって収納部１５０へ搬送される。識別部１４０は、搬送されている貨幣の真偽、正損、新旧、数量等を検知し（Ｓ８４）、入金貨幣の金額を算出する（Ｓ８５）。メモリ１７０は、入金金額と共に貨幣の真偽、正損、新旧、数量等の検知結果を記憶する（Ｓ８６）。即ち、このとき、メモリ１７０は、少なくとも入金された貨幣を正券と損券とに分けて金種ごとに記憶することができる。
【００６８】
制御部４４は、その入金金額からメモリ４５に格納された売上金額を減じて釣銭金額を算出する（Ｓ９０）。そして、ＰＯＳレジスタ１５は、貨幣精算装置１１に対して釣銭金額を送信するとともに、プリンタ３７において商品情報や精算処理の情報をレシートに印字する（Ｓ１００）。
【００６９】
貨幣精算装置１１は、ＰＯＳレジスタ１５から受信した釣銭金額に対応する貨幣を出金部１２０から投出する（Ｓ１１０）。店員は、釣銭、レシートおよび商品を顧客に渡し、精算処理が終了する。
【００７０】
上述のＥＣＢ決議のような規則がある場合であっても、店舗における貨幣を用いた通常の精算処理においては、金融機関のような現金取扱業者が行う業務と異なり、正券だけでなく損券も釣銭として出金しても差し支えない。従って、貨幣を用いた通常の精算処理において、貨幣精算装置１１は、正券と損券とを区別することなく釣銭として出金することができる。
【００７１】
ただし、貨幣処理の後、貨幣精算装置１１は、次に説明する口座取引において正券の在高を表示するために、入出金処理した正券の数および損券の数に基づいて、メモリ１７０に格納されている各金種の正券の数および損券の数を更新する必要がある。
【００７２】
［口座取引（ＡＴＭ出金）：図８］
顧客が銀行口座の預金を用いて貨幣を貨幣取引システム２から引き出す場合、店員は、ＰＯＳレジスタ１５のモードキー３３またはタッチパネル４３を操作して口座取引モードのキーを押す（Ｓ１２０）。店員が口座取引モードのキーを押すと、ＰＯＳレジスタ１５は、顧客のキャッシュカードをカードリーダ３８へ挿入することを店員へ要求する（Ｓ１３０）。顧客が銀行のキャッシュカードを店員に渡すと、店員はそのカードをカードリーダ３８に通す。顧客は、キーパット（図示せず）を操作してパスワードを入力する（Ｓ１３５）。
【００７３】
次に、ＰＯＳレジスタ１５の通信部４６は、貨幣精算装置１１へ総在高要求コマンドを送信する（Ｓ１４０）。
【００７４】
貨幣精算装置１１は、総在高要求コマンドを受信すると、収納部１５０に収納されている各金種の総在高情報をＰＯＳレジスタ１５へ送信する（Ｓ１５０）。
【００７５】
口座取引では、貨幣精算装置１１は、正券のみを出金することができる。従って、ＰＯＳレジスタ１５は、貨幣精算装置１１に収納されている各金種の総在高情報を受信すると、そのうちの各金種の正券在高情報のみを操作者用表示部３４に表示する（Ｓ１６０）。上述の通り、総在高情報は、各金種の総在高の他、各金種の正券の在高情報および損券の在高情報をそれぞれ区別した状態で含む。従って、ＰＯＳレジスタ１５は、総在高情報のうち正券の在高のみを選択的に表示することができる。
【００７６】
図９は、口座取引における表示部３４の画面を示す図である。口座取引において、表示部３４は、各金種の正券在高情報を在高表示領域Ｒ４に表示する。さらに、在高表示領域Ｒ４には、出金可能な貨幣の総額（出金可能金額）が表示されている。
【００７７】
店員は、在高表示領域Ｒ４を確認することによって貨幣精算装置１１内の各金種の正券の在高が充分であるか否かを判断することができる。貨幣精算装置１１内の或る金種の正券の在高が不足している場合には、店員は、その金種の正券を補充したり、あるいは、他の金種の正券での代替出金を選択する。代替出金に関しては後述する。
【００７８】
ステップＳ１３５における口座番号および暗証番号（あるいはパスワード）の入力後、ＰＯＳレジスタ１５は、口座番号および暗証番号（あるいはパスワード）を含む口座情報を銀行側システム３に送信し、銀行側システム３から当該口座の預金残高等を得る（Ｓ１８０）。ＰＯＳレジスタ１５は、預金残高を上限として貨幣の出金を許可する。店員または顧客は、キーボード３２等を操作して顧客の希望する出金金額を入力する（Ｓ１９０）。このとき、出金金額は、口座の預金残高以下である必要がある。
【００７９】
預金残高以下の出金金額が入力されると、ＰＯＳレジスタ１５は、口座番号、出金金額や出金後の預金残高等の口座取引情報および出金金額を貨幣精算装置１１へ送信するとともに、プリンタ３７において、口座取引情報をレシートに印字する（Ｓ２００）。さらに、ＰＯＳレジスタ１５は、口座取引情報を銀行側システム３に送信する（Ｓ２１０）。銀行側システム３は、この口座取引情報に基づいて顧客の口座の残高を更新する。
【００８０】
貨幣精算装置１１は、ＰＯＳレジスタ１５から受信した出金金額に対応する貨幣を出金部１２０から投出する（Ｓ２２０）。このとき、貨幣取引システム２が現金取扱業者と同様にＡＴＭ出金を行なう。従って、上述のＥＣＢ決議のような規則がある場合には、貨幣取引システム２は、現金取扱業者が行う金融業務と同様に、正券のみで出金する必要があり、損券を用いて出金することは禁止される。従って、貨幣精算装置１１は、正券のみを投出する。例えば、収納部１５０が正券と損券とを個別の収納庫に収納している場合、貨幣精算装置１１は、正券の収納庫から貨幣を繰出し、その貨幣を出金部１２０へ投出する。収納部１５０が正券と損券とを混合状態で収納している場合、メモリ１７０に記憶されている正券および損券の順番に基づいて正券のみを出金部１２０へ投出する。そして、貨幣精算装置１１は、出金処理した正券の数に基づいて、メモリ１７０に格納されている各金種の正券の数を更新する（Ｓ２３０）。
【００８１】
店員が貨幣およびレシートを顧客に渡すと、口座取引が終了する。
【００８２】
尚、口座取引は、商品の代金の引き落としを含んでいてもよい。つまり、顧客は、自己の銀行口座の預金を用いてその商品の代金を精算し、かつ、銀行口座からＡＴＭ出金を行なってもよい。例えば、顧客が商品の代金としての２０ユーロを銀行口座から支払い、かつ、８０ユーロを銀行口座から引き出す（ＡＴＭ出金）する場合、貨幣取引システム２は、銀行口座から１００ユーロを引き出す。１００ユーロのうち２０ユーロは、商品の代金に充てられ、残りの８０ユーロが顧客へ出金される。
【００８３】
以上のように本実施形態による貨幣取引システム２において、ＰＯＳレジスタ１５の表示部３４は、精算処理を行なう場合と口座取引を行なう場合とで、貨幣精算装置１１の貨幣の在高として異なる在高を表示する。これにより、店員は、精算処理においては貨幣精算装置１１に収納された正券および損券の両方を含む総在高を確認することができ、口座取引においては貨幣精算装置１１に収納された正券在高のみを確認することができる。貨幣取引システム２は、精算処理において正券および損券の両方を用いて出金することができ、口座取引において正券のみを用いて出金することができる。従って、本実施形態による貨幣取引システム２は、貨幣精算装置１１を大型化することなく、貨幣の効率的な運用を行なうことができる。
【００８４】
（代替出金）
通常、貨幣精算装置１１は、釣銭を構成する紙幣の枚数が最小となるように出金金種を選択する。つまり、貨幣精算装置１１は、釣銭を最小構成枚数で構成するように設定されている。
【００８５】
しかし、最小構成枚数となる出金金種が不足している場合には、貨幣精算装置１１は、その出金金種よりも低額の金種にて代替出金するように設定され得る。このように、精算処理および口座取引の出金時に、総在高情報または正券在高情報の出金金種が不足している場合、図６のステップＳ９０または図８のＳ１９０の後に、ＰＯＳレジスタ１５は、当該金種より低額の金種での代替出金を選択することができるようにガイダンス表示する。
【００８６】
図１０（Ａ）および図１０（Ｂ）は、口座取引において正券が不足している場合にＰＯＳレジスタ１５の表示部３４に表示される画面の例である。図１０（Ａ）は、代替出金の許否を問う画面であり、図１０（Ｂ）は、代替出金する貨幣の組合せの選択画面である。
【００８７】
例えば、ステップＳ１９０において、出金貨幣を最小構成枚数にするために必要な第１金種が不足している場合、ＰＯＳレジスタ１５は、図１０（Ａ）に示すように、第１金種より低額な金種にて代替出金してもよいか否かを店員または顧客に問う。ここで、代替出金を拒否する場合（ＮＯを選択する場合）、口座取引はキャンセルされる。
【００８８】
代替出金を許可する場合（ＹＥＳを選択する場合）、ＰＯＳレジスタ１５は、図１０（Ｂ）に示すように代替貨幣の組み合わせを表示する。代替貨幣は、上記第１金種未満の金種のうち最も高額な金種を優先的に用いて構成される。例えば、５０ユーロを出金するときに、５０ユーロ紙幣が不足している場合、ＰＯＳレジスタ１５は、５０ユーロ紙幣の次に高額な２０ユーロ紙幣を優先的に用いて構成された代替貨幣を表示する。つまり、ＰＯＳレジスタ１５は、２枚の２０ユーロ紙幣および１枚の１０ユーロ紙幣で構成された代替貨幣を表示する。さらに、ＰＯＳレジスタ１５は、代替貨幣の他の候補を選択可能に表示する。
【００８９】
店員または顧客は、これらの代替貨幣の候補の中から所望の組み合わせを選択することができる。図９に示す在高表示において、２０ユーロ紙幣も少ないことが分かっているときには、店員は、５枚の１０ユーロ紙幣を代替貨幣として選択することもできる。
【００９０】
代替貨幣の金種が決定すると、ＰＯＳレジスタ１５は、ステップＳ２００において、出金金額とともに代替貨幣の金種を貨幣精算装置１１へ送信する。貨幣精算装置１１は、ステップＳ２２０において、代替貨幣の金種に基づいて出金動作を実行する。
【００９１】
精算処理における代替出金は、上記口座取引における代替出金の動作から容易に推測できるので、その説明を省略する。
【００９２】
（変形例１）
上記実施形態において、図７および図９に表示される在高表示領域Ｒ４は、貨幣精算装置１１に収納された各金種の在高を数値で表示している。しかし、貨幣精算装置１１に収納された各金種の在高は、数値以外の概念的な表示であってもよい。
【００９３】
例えば、図１１（Ａ）および図１１（Ｂ）に示すように、在高表示領域Ｒ４における在高の表示は、その在高に応じた色で表示してもよい。より詳細には、総在高または正券在高が、５０枚以上の場合には青色、４０枚〜５０枚の場合には緑色、３０枚〜４０枚の場合には黄色、２０枚〜３０枚の場合には橙色、２０枚未満の場合には赤色を表示する。これにより、店員は、具体的な数値が表示されていなくても、貨幣精算装置１１に収納された各金種の在高を色彩で概念的に把握することができる。貨幣精算装置１１に収納された各金種の在高と各色彩とは、互いに関連付けられてメモリ１７０に予め格納されている。
【００９４】
さらに、図示はしないが、在高表示領域Ｒ４における在高の表示は、ヒストグラム等のグラフであってもよい。
【００９５】
（変形例２）
表示部３４は、総在高情報または正券在高情報が所定の設定値以下になった場合に各在高情報を表示してもよい。貨幣精算装置１１に収納されているいずれの金種の在高（正券の在高）も充分である場合、在高情報は、店員および顧客にとって必ずしも必要な情報ではない。従って、総在高情報または正券在高情報が所定の設定値を超えている場合、ＰＯＳレジスタ１５は、敢えてその在高情報を表示部３４に表示しなくてもよい。これにより、表示部３４の画面表示がシンプルになり、誤入力が抑制される。尚、上記設定値は、予め設定され、メモリ４５に格納されている。
【００９６】
代替的に、総在高情報または正券在高情報が所定の設定値を超えている場合、ＰＯＳレジスタ１５は、上限値をそのまま表示部３４に表示しておいてもよい。この場合、総在高情報または正券在高情報が所定の設定値を下回ったときにはじめて、表示部３４の在高情報の数値が変化する。これにより、表示部３４において不要な情報が省略されるので、やはり誤入力が抑制される。
【００９７】
さらに、代替的に、表示部３４は、総在高情報または正券在高情報が１取引における出金可能上限値以上の場合は、当該出金可能上限値を表示してもよい。１回の取引における出金可能上限値が設定されている場合、出金可能上限値を超える在高情報は、店員および顧客にとって不要な情報である。従って、総在高または正券在高が出金可能上限値以上である場合、ＰＯＳレジスタ１５は、出金可能上限値をそのまま表示してもよい。この場合、総在高情報または正券在高情報が出金可能上限値を下回ったときにはじめて、表示部３４の在高情報の数値が変化する。尚、上記出金可能上限値は、予め設定され、メモリ４５に格納されている。これにより、表示部３４において不要な情報が省略されるので、誤入力が抑制される。
【００９８】
（第２の実施形態）
図１２は、本発明に係る第２の実施形態に従った貨幣取引システム２の口座取引の動作を示すフロー図である。第２の実施形態による貨幣取引システム２の構成および精算処理の動作は、第１の実施形態による貨幣取引システム２のそれらと同様でよい。
【００９９】
第１実施形態においては、ＰＯＳレジスタ１５は、精算処理および口座取引の両方において、貨幣精算装置１１へ総在高要求コマンドを送信している（ステップＳ５０、Ｓ１４０）。これに対し、第２の実施形態において、ＰＯＳレジスタ１５は、精算処理において総在高要求コマンドを送信し、口座取引において正券在高要求コマンドを送信する。即ち、第２の実施形態において、ＰＯＳレジスタ１５は、精算処理と口座取引とにおいて異なる在高要求コマンドを貨幣精算装置１１へ送信する。
【０１００】
より詳細には、精算処理において、ＰＯＳレジスタ１５は、総在高要求コマンドを貨幣精算装置１１へ送信する（図６のＳ５０）。これ応じて、貨幣精算装置１１は、総在高情報をＰＯＳレジスタ１５へ送信する（Ｓ６０）。一方、口座取引において、ＰＯＳレジスタ１５は、正券在高要求コマンドを貨幣精算装置１１へ送信する（Ｓ１４１）。これに応じて、貨幣精算装置１１は、正券在高情報をＰＯＳレジスタ１５へ送信する（Ｓ１５１）。
【０１０１】
貨幣精算装置１１が、貨幣を正券と損券とを分けて金種ごとに収納している場合、正券在高情報は、正券を収納している収納庫の在高である。
【０１０２】
貨幣精算装置１１が、貨幣を正券および損券を混合状態で金種ごとに収納している場合、正券在高情報は、メモリ１７０に記憶されている正損の収納順に基づいて計算された正券の在高である。制御部１９０は、メモリ１７０に記憶されている正損の収納順に基づいて正券在高を計算することができる。
【０１０３】
このように、ＰＯＳレジスタ１５が、精算処理と口座取引とにおいて異なる在高情報を貨幣精算装置１１から得ることによって、ＰＯＳレジスタ１５は、貨幣精算装置１１から得た在高情報をそのまま表示部３４に表示することができる。即ち、ＰＯＳレジスタ１５は、口座取引のときに総在高情報から正券在高情報を選択する必要がない。
【０１０４】
第２の実施形態による貨幣取引システム２の口座取引の他の動作は、第１の実施形態による貨幣取引システム２の対応する動作と同様でよい。従って、第２の実施形態は、第１の実施形態と同様の効果を得ることができる。
【０１０５】
（第３の実施形態）
図１３は、本発明に係る第３の実施形態に従った口座取引においてＰＯＳレジスタ１５の表示部３４に表示される画面を示す図である。
【０１０６】
貨幣精算装置１１の収納部１５０が正券および損券を混合状態で紙幣を収納している場合、口座取引において、正券のみを出金するために時間が掛かる場合がある。例えば、正券が収納部１５０の奥（または底）に収納されている場合には、収納部１５０から損券を繰出し、所望の数の正券が繰り出されるまで、収納部１５０から繰り出される損券を他の収納庫へ一旦退避させる必要がある。従って、この場合、正券のみを出金するために特に長い時間が掛かる。
【０１０７】
そこで、第３の実施形態では、ＰＯＳレジスタ１５の表示部３４は、図１３に示すように出金貨幣の組み合わせおよび出金時間をガイダンス表示する。店員または顧客は、出金時間に基づいて、これらの出金貨幣の組み合わせのうちいずれかを選択することができる。
【０１０８】
ＰＯＳレジスタ１５は、図８のステップＳ１９０の後に表示部３４に出金時間のガイダンスを表示させればよい。尚、貨幣精算装置１１の収納部１５０から各紙幣を繰り出す時間間隔はほぼ一定である。従って、ＰＯＳレジスタ１５の制御部４４は、メモリ１７０に記憶されている貨幣の正損の順番に基づいて、各出金貨幣に対応する出金時間を算出することができる。
【０１０９】
そして、店員または顧客が出金貨幣の組み合わせを選択した後に、ステップＳ２００へ進む。第３の実施形態による貨幣取引システム２の構成および他の動作は、第１の実施形態による貨幣取引システム２の構成および動作と同様でよい。
【０１１０】
図１３は、５０ユーロを正券で出金する場合の出金貨幣の組み合わせと出金時間とを示している。最小構成枚数（１枚の５０ユーロ紙幣）で出金する場合、出金時間は４０秒である。これに対して、２枚の２ユーロ紙幣および１枚の１０ユーロ紙幣で出金貨幣を構成した場合、出金時間は１０秒である。また、１枚の２ユーロ紙幣および３枚の１０ユーロ紙幣で出金貨幣を構成した場合、出金時間は１５秒である。店員または顧客は、これらの出金時間を参照して、所望の出金貨幣を選択することができる。例えば、店員または顧客は、出金時間の最も短い出金貨幣の組み合わせ（２枚の２ユーロ紙幣および１枚の１０ユーロ紙幣）を選択することができる。これにより、第３の実施形態による貨幣取引システム２は、口座取引において、顧客を待たせることなく正券を出金することができる。さらに、第３の実施形態は、第１の実施形態の効果も得ることができる。
【符号の説明】
【０１１１】
２・・・貨幣取引システム、３・・・銀行側システム、１０・・・チェックアウトカウンター、１１・・・貨幣精算装置、１５・・・ＰＯＳレジスタ、２０・・・バックオフィス、２１・・・貨幣処理装置、２５・・・貨幣管理装置、２６・・・ＰＯＳ管理装置、２７・・・プリンタ、１１０・・・入金部、１２０・・・出金部、１３０・・・搬送部、１４０・・・識別部、１５０・・・収納部、１７０・・・メモリ、１８０・・・通信部、１９０・・・制御部、３２・・・キーボード、３３・・・モードキー、３４・・・操作者用表示部、３５・・・客用表示部、３６・・・コードスキャナ、３７・・・プリンタ、４４・・・制御部、４５・・・メモリ、４６・・・通信部
【図１】
2013134569.tif 000003
【図２】
2013134569.tif 000004
【図３】
2013134569.tif 000005
【図４】
2013134569.tif 000006
【図５】
2013134569.tif 000007
【図６】
2013134569.tif 000008
【図７】
2013134569.tif 000009
【図８】
2013134569.tif 000010
【図９】
2013134569.tif 000011
【図１０】
2013134569.tif 000012
【図１１】
2013134569.tif 000013
【図１２】
2013134569.tif 000014
【図１３】
2013134569.tif 000015